(57)【要約】【課題】ＢＧＭ再生システムおよびＢＧＭプレーヤの故障等のエラーを通知させること、および、常に有効期限内にある再生プログラムを提供することが可能なＢＧＭ再生システムおよびＢＧＭプレーヤを提案する。【解決手段】ネットワークに接続されたＢＧＭプレーヤ１６の動作不良、破損を含むエラーを検出するエラー検出手段４２と、エラー検出手段４２により検出されたエラーの内容に応じて、エラーの存在を知らせる電子メール２４の送信やエラーの存在を表示するエラー通知手段４４を備え、これらにより、ＢＧＭプレーヤ１６のエラーの存在を表示することを特徴とするＢＧＭ再生システムである。【選択図】        図２
2004170635.tif 000002
【特許請求の範囲】
【請求項１】
ネットワークに接続され、複数のコンテンツを所定の再生プログラムに基づいて再生するＢＧＭプレーヤと、
前記ネットワークに、前記ＢＧＭプレーヤと通信可能となるように接続され、前記ＢＧＭプレーヤにおいて再生させるコンテンツを予め蓄積してあるコンテンツ格納サーバと、
前記ネットワークに、前記ＢＧＭプレーヤと通信可能となるように接続され、前記ＢＧＭプレーヤに対して、前記再生プログラムと該再生プログラムに基づいて再生すべきコンテンツの識別子が記述された電子メールを送信する電子メール送信手段を有するデータ送信装置とを具備し、
前記データ送信装置からの電子メールを受信した前記ＢＧＭプレーヤが、該電子メールに記述されているコンテンツの識別子に基づいて必要なコンテンツを前記コンテンツ格納サーバからダウンロードし、前記電子メールに記述されていた再生プログラムを実行することで、前記ダウンロードしたコンテンツを再生するＢＧＭ再生システムにおいて、
前記ＢＧＭプレーヤは、
当該ＢＧＭプレーヤの動作不良、破損を含むエラーを検出するエラー検出手段と、前記エラー検出手段により検出されたエラーの内容に応じて、当該エラーの存在を知らせる電子メールの送信やエラーの存在を表示するエラー通知手段とを備え、
前記エラー検出手段が当該ＢＧＭプレーヤのエラーを検出した場合において、
前記ＢＧＭプレーヤが当該エラーにもかかわらずネットワークに接続可能であるときには、前記エラー通知手段が、前記データ送信装置に前記エラーの内容を記載した電子メールを前記データ送信装置に送信し、
前記ＢＧＭプレーヤが前記エラーによってネットワークに接続不可能であるときには、前記エラー通知手段が当該ＢＧＭプレーヤにおけるエラーの存在を表示することを特徴とするＢＧＭ再生システム。
【請求項２】
ネットワークに接続され、複数のコンテンツを所定の再生プログラムに基づいて再生するＢＧＭプレーヤと、
前記ネットワークに、前記ＢＧＭプレーヤと通信可能となるように接続され、前記ＢＧＭプレーヤにおいて再生させるコンテンツを予め蓄積すると共に、前記ＢＧＭプレーヤに対して、前記再生プログラムと該再生プログラムに基づいて再生すべきコンテンツの識別子が記述された電子メールを送信する電子メール送信手段を有するデータ送信装置とを具備し、
前記データ送信装置からの電子メールを受信した前記ＢＧＭプレーヤが、該電子メールに添付されている前記再生プログラムと前記コンテンツとをセットアップした後、前記ＢＧＭプレーヤが前記再生プログラムを実行することで、前記コンテンツを再生するＢＧＭ再生システムにおいて、
前記ＢＧＭプレーヤは、
当該ＢＧＭプレーヤの動作不良、破損を含むエラーを検出するエラー検出手段と、前記エラー検出手段により検出されたエラーの内容に応じて、当該エラーの存在を知らせる電子メールの送信やエラーの存在を表示するエラー通知手段とを備え、
前記エラー検出手段が当該ＢＧＭプレーヤのエラーを検出した場合において、
前記ＢＧＭプレーヤが当該エラーにもかかわらずネットワークに接続可能であるときには、前記エラー通知手段が、前記データ送信装置に前記エラーの内容を記載した電子メールを前記データ送信装置に送信し、
前記ＢＧＭプレーヤが前記エラーによってネットワークに接続不可能であるときには、前記エラー通知手段が当該ＢＧＭプレーヤにおけるエラーの存在を表示することを特徴とするＢＧＭ再生システム。
【請求項３】
前記エラー検出手段により検出されたエラーの具体的な内容は、前記ＢＧＭプレーヤまたは前記データ送信装置のいずれかに表示されることを特徴とする請求項１または２に記載のＢＧＭ再生システム。
【請求項４】
ネットワークに接続され、複数のコンテンツを所定の再生プログラムに基づいて再生するＢＧＭプレーヤと、
前記ネットワークに、前記ＢＧＭプレーヤと通信可能となるように接続され、前記ＢＧＭプレーヤにおいて再生させるコンテンツを予め蓄積してあるコンテンツ格納サーバと、
前記ネットワークに、前記ＢＧＭプレーヤと通信可能となるように接続され、前記ＢＧＭプレーヤに対して、前記再生プログラムと該再生プログラムに基づいて再生すべきコンテンツの識別子が記述された電子メールを送信する電子メール送信手段を有するデータ送信装置とを具備し、
前記データ送信装置からの電子メールを受信した前記ＢＧＭプレーヤが、該電子メールに記述されているコンテンツの識別子に基づいて必要なコンテンツを前記コンテンツ格納サーバからダウンロードし、前記電子メールに記述されていた再生プログラムを実行することで、前記ダウンロードしたコンテンツを再生するＢＧＭ再生システムに用いるＢＧＭプレーヤにおいて、
当該ＢＧＭプレーヤの動作不良、破損を含むエラーを検出するエラー検出手段と、前記エラー検出手段により検出されたエラーの内容に応じて、当該エラーの存在を知らせる電子メールの送信やエラーの存在を表示するエラー通知手段とを備え、
前記エラー検出手段が当該ＢＧＭプレーヤのエラーを検出した場合において、
前記ＢＧＭプレーヤが当該エラーにもかかわらずネットワークに接続可能であるときには、前記エラー通知手段が、前記データ送信装置に前記エラーの内容を記載した電子メールを前記データ送信装置に送信し、
前記ＢＧＭプレーヤが前記エラーによってネットワークに接続不可能であるときには、前記エラー通知手段が当該ＢＧＭプレーヤにおけるエラーの存在を表示することを特徴とするＢＧＭプレーヤ。
【請求項５】
ネットワークに接続され、複数のコンテンツを所定の再生プログラムに基づいて再生するＢＧＭプレーヤと、
前記ネットワークに、前記ＢＧＭプレーヤと通信可能となるように接続され、前記ＢＧＭプレーヤにおいて再生させるコンテンツを予め蓄積すると共に、前記ＢＧＭプレーヤに対して、前記再生プログラムと該再生プログラムに基づいて再生すべきコンテンツの識別子が記述された電子メールを送信する電子メール送信手段を有するデータ送信装置とを具備し、
前記データ送信装置からの電子メールを受信した前記ＢＧＭプレーヤが、該電子メールに添付されている前記再生プログラムと前記コンテンツとをセットアップした後、前記ＢＧＭプレーヤが前記再生プログラムを実行することで、前記コンテンツを再生するＢＧＭ再生システムに用いるＢＧＭプレーヤにおいて、
当該ＢＧＭプレーヤのエラーを検出するエラー検出手段と、前記エラー検出手段により検出されたエラーの内容に応じて、当該エラーの通知を行うエラー通知手段とを備え、
当該ＢＧＭプレーヤの動作不良、破損を含むエラーを検出するエラー検出手段と、前記エラー検出手段により検出されたエラーの内容に応じて、当該エラーの存在を知らせる電子メールの送信やエラーの存在を表示するエラー通知手段とを備え、
前記エラー検出手段が当該ＢＧＭプレーヤのエラーを検出した場合において、
前記ＢＧＭプレーヤが当該エラーにもかかわらずネットワークに接続可能であるときには、前記エラー通知手段が、前記データ送信装置に前記エラーの内容を記載した電子メールを前記データ送信装置に送信し、
前記ＢＧＭプレーヤが前記エラーによってネットワークに接続不可能であるときには、前記エラー通知手段が当該ＢＧＭプレーヤにおけるエラーの存在を表示することを特徴とするＢＧＭプレーヤ。
【請求項６】
前記エラー検出手段により検出されたエラーの具体的な内容は、前記ＢＧＭプレーヤまたは前記データ送信装置のいずれかに表示されることを特徴とする請求項４または５に記載のＢＧＭプレーヤ。
【請求項７】
ネットワークに接続され、複数のコンテンツを実行期限としての有効期限が予め設定された再生プログラムに基づいて再生するＢＧＭプレーヤと、
前記ネットワークに、前記ＢＧＭプレーヤと通信可能となるように接続され、前記ＢＧＭプレーヤにおいて再生させるコンテンツを予め蓄積してあるコンテンツ格納サーバと、
前記ネットワークに、前記ＢＧＭプレーヤと通信可能となるように接続され、前記ＢＧＭプレーヤに対して、前記再生プログラムと該再生プログラムに基づいて再生すべきコンテンツの識別子が記述された電子メールを送信する電子メール送信手段を有するデータ送信装置とを具備し、
前記データ送信装置からの電子メールを受信した前記ＢＧＭプレーヤが、該電子メールに記述されているコンテンツの識別子に基づいて必要なコンテンツを前記コンテンツ格納サーバからダウンロードし、前記電子メールに記述されていた再生プログラムを実行することで、前記ダウンロードしたコンテンツを再生するＢＧＭ再生システムにおいて、
前記エラー検出手段は、前記記憶手段に記憶されている前記再生プログラムに設定されている有効期限を確認し、
前記再生プログラムの有効期限が経過していない場合には、前記再生プログラムに基づいたＢＧＭの再生を行い、
前記再生プログラムの有効期限が経過している場合には、前記エラー通知手段が、前記データ送信装置に、前記再生プログラムの有効期限が経過していることを通知する電子メールを送信すると共に、前記記憶手段に記憶されている緊急用再生プログラムを実行することを特徴とするＢＧＭ再生システム。
【請求項８】
ネットワークに接続され、複数のコンテンツを実行期限としての有効期限が予め設定された再生プログラムに基づいて再生するＢＧＭプレーヤと、
前記ネットワークに、前記ＢＧＭプレーヤと通信可能となるように接続され、前記ＢＧＭプレーヤにおいて再生させるコンテンツを予め蓄積してあるコンテンツ格納サーバと、
前記ネットワークに、前記ＢＧＭプレーヤと通信可能となるように接続され、前記ＢＧＭプレーヤに対して、前記再生プログラムと該再生プログラムに基づいて再生すべきコンテンツの識別子が記述された電子メールを送信する電子メール送信手段を有するデータ送信装置とを具備し、
前記データ送信装置からの電子メールを受信した前記ＢＧＭプレーヤが、該電子メールに記述されているコンテンツの識別子に基づいて必要なコンテンツを前記コンテンツ格納サーバからダウンロードし、前記電子メールに記述されていた再生プログラムを実行することで、前記ダウンロードしたコンテンツを再生するＢＧＭ再生システムに用いるＢＧＭプレーヤにおいて、
前記エラー検出手段は、前記記憶手段に記憶されている前記再生プログラムに設定されている有効期限を確認し、
前記再生プログラムの有効期限が経過していない場合には、通常の再生を行い、
前記再生プログラムの有効期限が経過している場合には、前記エラー通知手段が、前記データ送信装置に、前記再生プログラムの有効期限が経過していることを通知する電子メールを送信すると共に、前記記憶手段に記憶されている緊急用再生プログラムを実行することを特徴とするＢＧＭプレーヤ。
【請求項９】
ネットワークに接続され、複数のコンテンツを実行期限としての有効期限が予め設定された再生プログラムに基づいて再生するＢＧＭプレーヤと、
前記ネットワークに、前記ＢＧＭプレーヤと通信可能となるように接続され、前記ＢＧＭプレーヤにおいて再生させるコンテンツを予め蓄積してあるコンテンツ格納サーバと、
前記ネットワークに、前記ＢＧＭプレーヤと通信可能となるように接続され、前記ＢＧＭプレーヤに対して、前記再生プログラムと該再生プログラムに基づいて再生すべきコンテンツの識別子が記述された電子メールを送信する電子メール送信手段を有するデータ送信装置とを具備し、
前記データ送信装置からの電子メールを受信した前記ＢＧＭプレーヤが、該電子メールに記述されているコンテンツの識別子に基づいて必要なコンテンツを前記コンテンツ格納サーバからダウンロードし、前記電子メールに記述されていた再生プログラムを実行することで、前記ダウンロードしたコンテンツを再生するＢＧＭ再生システムにおいて、
前記エラー検出手段は、前記記憶手段に記憶されている前記再生プログラムに設定されている有効期限を確認し、
前記再生プログラムの有効期限が経過していない場合には、前記再生プログラムに基づいてＢＧＭの再生を行い、
前記再生プログラムの有効期限が予め設定された閾値内に入っている場合には、前記エラー通知手段が、前記データ送信装置に、前記再生プログラムの有効期限が近づいていることを通知する電子メールを送信した後、当該再生プログラムに基づいてＢＧＭの再生を行うことを特徴とするＢＧＭ再生システム。
【請求項１０】
ネットワークに接続され、複数のコンテンツを実行期限としての有効期限が予め設定された再生プログラムに基づいて再生するＢＧＭプレーヤと、
前記ネットワークに、前記ＢＧＭプレーヤと通信可能となるように接続され、前記ＢＧＭプレーヤにおいて再生させるコンテンツを予め蓄積してあるコンテンツ格納サーバと、
前記ネットワークに、前記ＢＧＭプレーヤと通信可能となるように接続され、前記ＢＧＭプレーヤに対して、前記再生プログラムと該再生プログラムに基づいて再生すべきコンテンツの識別子が記述された電子メールを送信する電子メール送信手段を有するデータ送信装置とを具備し、
前記データ送信装置からの電子メールを受信した前記ＢＧＭプレーヤが、該電子メールに記述されているコンテンツの識別子に基づいて必要なコンテンツを前記コンテンツ格納サーバからダウンロードし、前記電子メールに記述されていた再生プログラムを実行することで、前記ダウンロードしたコンテンツを再生するＢＧＭ再生システムに用いるＢＧＭプレーヤにおいて、
前記エラー検出手段は、前記記憶手段に記憶されている前記再生プログラムに設定されている有効期限を確認し、
前記再生プログラムの有効期限が経過していない場合には、通常の再生を行い、
前記再生プログラムの有効期限が予め設定された閾値内に入っている場合には、前記エラー通知手段が、前記データ送信装置に、前記再生プログラムの有効期限が近づいていることを通知する電子メールを送信た後に当該再生プログラムに基づいてコンテンツの再生をすることを特徴とするＢＧＭプレーヤ。
【請求項１１】
ネットワークに接続され、複数のコンテンツを実行期限としての有効期限が予め設定された再生プログラムに基づいて再生するＢＧＭプレーヤと、
前記ネットワークに、前記ＢＧＭプレーヤと通信可能となるように接続され、前記ＢＧＭプレーヤにおいて再生させるコンテンツを予め蓄積すると共に、前記ＢＧＭプレーヤに対して、前記再生プログラムと該再生プログラムに基づいて再生すべきコンテンツの識別子が記述された電子メールを送信する電子メール送信手段を有するデータ送信装置とを具備し、
前記データ送信装置からの電子メールを受信した前記ＢＧＭプレーヤが、該電子メールに添付されている前記再生プログラムと前記コンテンツとをセットアップした後、前記ＢＧＭプレーヤが前記再生プログラムを実行することで、前記コンテンツを再生するＢＧＭ再生システムにおいて、
前記エラー検出手段は、前記記憶手段に記憶されている前記再生プログラムに設定されている有効期限を確認し、
前記再生プログラムの有効期限が経過していない場合には、前記再生プログラムに基づいたＢＧＭの再生を行い、
前記再生プログラムの有効期限が経過している場合には、前記エラー通知手段が、前記データ送信装置に、前記再生プログラムの有効期限が経過していることを通知する電子メールを送信すると共に、前記記憶手段に記憶されている緊急用再生プログラムを実行することを特徴とするＢＧＭ再生システム。
【請求項１２】
ネットワークに接続され、複数のコンテンツを実行期限としての有効期限が予め設定された再生プログラムに基づいて再生するＢＧＭプレーヤと、
前記ネットワークに、前記ＢＧＭプレーヤと通信可能となるように接続され、前記ＢＧＭプレーヤにおいて再生させるコンテンツを予め蓄積すると共に、前記ＢＧＭプレーヤに対して、前記再生プログラムと該再生プログラムに基づいて再生すべきコンテンツの識別子が記述された電子メールを送信する電子メール送信手段を有するデータ送信装置とを具備し、
前記データ送信装置からの電子メールを受信した前記ＢＧＭプレーヤが、該電子メールに添付されている前記再生プログラムと前記コンテンツとをセットアップした後、前記ＢＧＭプレーヤが前記再生プログラムを実行することで、前記コンテンツを再生するＢＧＭ再生システムに用いられるＢＧＭプレーヤにおいて、前記エラー検出手段は、前記記憶手段に記憶されている前記再生プログラムに設定されている有効期限を確認し、
前記再生プログラムの有効期限が経過していない場合には、通常の再生を行い、
前記再生プログラムの有効期限が経過している場合には、前記エラー通知手段が、前記データ送信装置に、前記再生プログラムの有効期限が経過していることを通知する電子メールを送信すると共に、前記記憶手段に記憶されている緊急用再生プログラムを実行することを特徴とするＢＧＭプレーヤ。
【請求項１３】
ネットワークに接続され、複数のコンテンツを実行期限としての有効期限が予め設定された再生プログラムに基づいて再生するＢＧＭプレーヤと、
前記ネットワークに、前記ＢＧＭプレーヤと通信可能となるように接続され、前記ＢＧＭプレーヤにおいて再生させるコンテンツを予め蓄積すると共に、前記ＢＧＭプレーヤに対して、前記再生プログラムと該再生プログラムに基づいて再生すべきコンテンツの識別子が記述された電子メールを送信する電子メール送信手段を有するデータ送信装置とを具備し、
前記データ送信装置からの電子メールを受信した前記ＢＧＭプレーヤが、該電子メールに添付されている前記再生プログラムと前記コンテンツとをセットアップした後、前記ＢＧＭプレーヤが前記再生プログラムを実行することで、前記コンテンツを再生するＢＧＭ再生システムにおいて、
前記エラー検出手段は、前記記憶手段に記憶されている前記再生プログラムに設定されている有効期限を確認し、
前記再生プログラムの有効期限が経過していない場合には、前記再生プログラムに基づいてＢＧＭの再生を行い、
前記再生プログラムの有効期限が予め設定された閾値内に入っている場合には、前記エラー通知手段が、前記データ送信装置に、前記再生プログラムの有効期限が近づいていることを通知する電子メールを送信した後、当該再生プログラムに基づいてＢＧＭの再生を行うことを特徴とするＢＧＭ再生システム。
【請求項１４】
ネットワークに接続され、複数のコンテンツを実行期限としての有効期限が予め設定された再生プログラムに基づいて再生するＢＧＭプレーヤと、
前記ネットワークに、前記ＢＧＭプレーヤと通信可能となるように接続され、前記ＢＧＭプレーヤにおいて再生させるコンテンツを予め蓄積すると共に、前記ＢＧＭプレーヤに対して、前記再生プログラムと該再生プログラムに基づいて再生すべきコンテンツの識別子が記述された電子メールを送信する電子メール送信手段を有するデータ送信装置とを具備し、
前記データ送信装置からの電子メールを受信した前記ＢＧＭプレーヤが、該電子メールに添付されている前記再生プログラムと前記コンテンツとをセットアップした後、前記ＢＧＭプレーヤが前記再生プログラムを実行することで、前記コンテンツを再生するＢＧＭ再生システムに用いられるＢＧＭプレーヤにおいて、前記エラー検出手段は、前記記憶手段に記憶されている前記再生プログラムに設定されている有効期限を確認し、
前記再生プログラムの有効期限が予め設定された閾値内に入っている場合には、前記エラー通知手段が、前記データ送信装置に、前記再生プログラムの有効期限が近づいていることを通知する電子メールを送信した後、当該再生プログラムに基づいてＢＧＭの再生を行うことを特徴とするＢＧＭプレーヤ。
【発明の詳細な説明】
【０００１】
【発明の属する技術分野】
本発明はＢＧＭ再生システムおよびＢＧＭプレーヤに関し、より詳細には、ネットワークを用いてコンテンツデータを各ＢＧＭプレーヤに配信する形態のＢＧＭ再生システムおよびＢＧＭプレーヤに関する。
【０００２】
【従来の技術】
ＢＧＭプレーヤについて概略を説明する。
ＢＧＭプレーヤは、スーパーマーケット等の店舗に設置され、内蔵している記憶手段に記憶されている音楽や画像等のコンテンツを店舗の営業中に再生することができるＢＧＭ装置の一つである。
【０００３】
このようなＢＧＭプレーヤを有する従来のＢＧＭ再生システムにおける、ＢＧＭプレーヤのコンテンツの入手は、ＣＤ等のデータ記録メディアの配布によるものが主であった。
しかし、近年においては、コンテンツを要求するＢＧＭプレーヤが電話回線等を用いてコンテンツを格納している端末に接続して直接ダウンロードする方法や、コンテンツを格納しているサーバが接続されたＬＡＮやインターネットにコンテンツを要求するＢＧＭプレーヤを接続させて、コンテンツ格納サーバからダウンロードする手法が確立されてきた。
【０００４】
また、特開２００１−２８２６８９号に開示されているように、データ送信装置からデータ受信装置（ＢＧＭプレーヤ）に対して処理コマンドが記述された電子メールを送信することにより、ＢＧＭプレーヤをデータ送信装置に接続させてコンテンツを受信させるＢＧＭ再生システムも提案されている。これにより、一通の電子メールを配信すれば、複数台のＢＧＭプレーヤに対して同一のコンテンツを同時に配信することが可能になる。
【０００５】
【特許文献１】
特開２００１−２８２６８９号公報
【０００６】
【発明が解決しようとする課題】
ＢＧＭ再生システムまたはＢＧＭプレーヤの設置先においては、これらの装置は自動的にＢＧＭを流しているという認識であるため、これら装置に故障等が有ったとしても、なかなか気付き難く、ＢＧＭが流されていないことに気が付いたときにようやく故障に気が付くということが多い。
また、サポート側の事情によっては、直ちにエンジニアを派遣することができず、必要な時にＢＧＭ装置が使えないおそれがあるといった課題がある。
【０００７】
また、ＢＧＭ再生システムおよびＢＧＭプレーヤは、配信された再生プログラムに基づいてＢＧＭを再生するが、再生プログラムに有効期限が設定されている。
何らかの要因で新しい再生プログラムが配信されない場合は、使用可能な再生プログラムが無くなり、ＢＧＭを再生することができなくなってしまうというおそれもある。
【０００８】
本発明は、ＢＧＭ再生システムおよびＢＧＭプレーヤの故障等のエラーを予め通知させることにより、故障内容を把握することができ、低コストにて修理ができるようにするＢＧＭ再生システムおよびＢＧＭプレーヤ。また、常に有効期限内にある再生プログラムを提供することが可能なＢＧＭ再生システムおよびＢＧＭプレーヤを提供することを目的とする。
【０００９】
【課題を解決するための手段】
発明者は、以上に述べた目的を達成するべく各種の検討を行った結果、ＢＧＭ再生システムおよびＢＧＭプレーヤにおいて、エラーを検出するエラー検出手段を配設し、検出されたエラーの状態に応じて、通知方法を選択させれば良いこと、また、再生プログラムの有効期限を確認し、有効期限が切れたことをデータを送信する側に通知すれば良いことに想到し、本発明を完成させた。
【００１０】
すなわち、本願の発明は、ネットワークに接続され、複数のコンテンツを所定の再生プログラムに基づいて再生するＢＧＭプレーヤと、前記ネットワークに、前記ＢＧＭプレーヤと通信可能となるように接続され、前記ＢＧＭプレーヤにおいて再生させるコンテンツを予め蓄積してあるコンテンツ格納サーバと、前記ネットワークに、前記ＢＧＭプレーヤと通信可能となるように接続され、前記ＢＧＭプレーヤに対して、前記再生プログラムと該再生プログラムに基づいて再生すべきコンテンツの識別子が記述された電子メールを送信する電子メール送信手段を有するデータ送信装置とを具備し、前記データ送信装置からの電子メールを受信した前記ＢＧＭプレーヤが、該電子メールに記述されているコンテンツの識別子に基づいて必要なコンテンツを前記コンテンツ格納サーバからダウンロードし、前記電子メールに記述されていた再生プログラムを実行することで、前記ダウンロードしたコンテンツを再生するＢＧＭ再生システムおよびこれに用いられるＢＧＭプレーヤであって、前記ＢＧＭプレーヤは、当該ＢＧＭプレーヤの動作不良、破損を含むエラーを検出するエラー検出手段と、前記エラー検出手段により検出されたエラーの内容に応じて、当該エラーの存在を知らせる電子メールの送信やエラーの存在を表示するエラー通知手段とを備え、前記エラー検出手段が当該ＢＧＭプレーヤのエラーを検出した場合において、前記ＢＧＭプレーヤが当該エラーにもかかわらずネットワークに接続可能であるときには、前記エラー通知手段が、前記データ送信装置に前記エラーの内容を記載した電子メールを前記データ送信装置に送信し、前記ＢＧＭプレーヤが前記エラーによってネットワークに接続不可能であるときには、前記エラー通知手段が当該ＢＧＭプレーヤにおけるエラーの存在を表示することを特徴とするＢＧＭ再生システムおよびこれに用いるＢＧＭプレーヤである。
【００１１】
また、ネットワークに接続され、複数のコンテンツを所定の再生プログラムに基づいて再生するＢＧＭプレーヤと、前記ネットワークに、前記ＢＧＭプレーヤと通信可能となるように接続され、前記ＢＧＭプレーヤにおいて再生させるコンテンツを予め蓄積すると共に、前記ＢＧＭプレーヤに対して、前記再生プログラムと該再生プログラムに基づいて再生すべきコンテンツの識別子が記述された電子メールを送信する電子メール送信手段を有するデータ送信装置とを具備し、前記データ送信装置からの電子メールを受信した前記ＢＧＭプレーヤが、該電子メールに添付されている前記再生プログラムと前記コンテンツとをセットアップした後、前記ＢＧＭプレーヤが前記再生プログラムを実行することで、前記コンテンツを再生するＢＧＭ再生システムおよびこれに用いられるＢＧＭプレーヤであって、前記ＢＧＭプレーヤは、当該ＢＧＭプレーヤの動作不良、破損を含むエラーを検出するエラー検出手段と、前記エラー検出手段により検出されたエラーの内容に応じて、当該エラーの存在を知らせる電子メールの送信やエラーの存在を表示するエラー通知手段とを備え、前記エラー検出手段が当該ＢＧＭプレーヤのエラーを検出した場合において、前記ＢＧＭプレーヤが当該エラーにもかかわらずネットワークに接続可能であるときには、前記エラー通知手段が、前記データ送信装置に前記エラーの内容を記載した電子メールを前記データ送信装置に送信し、前記ＢＧＭプレーヤが前記エラーによってネットワークに接続不可能であるときには、前記エラー通知手段が当該ＢＧＭプレーヤにおけるエラーの存在を表示することを特徴とするＢＧＭ再生システムおよびこれに用いるＢＧＭプレーヤである。
【００１２】
これらによれば、ＢＧＭ再生システムまたはＢＧＭプレーヤにおいて何らかの故障があったとしても、ネットワークに接続可能な状態であれば、データ送信装置に自動的に連絡が届き、故障が有ったことを直ちに認識することができるため、迅速な修理が可能になる。
【００１３】
なお、ここでいうコンテンツデータとは、音楽等の音声データ、静止画及び動画等の画像データ、ニュース及び掲示板等の文字データ、これらの各データのメタデータを含み、様々な形式によりデータを出力させることが可能である。
さらには、コンテンツデータには、本システムを運用する際に必要なＢＧＭプレーヤのオペレーティングシステムや、ＢＧＭプレーヤにおけるコンテンツデータの再生プログラムや、コンテンツデータの配信履歴データ等も含ませることもできる。これによれば、ネットワークに接続可能な環境にあれば、ＢＧＭ再生システムにおけるすべてのファイルをインターネットを用いて取り扱うことができるので、各種のメディアに記憶させて、それぞれの利用者に配布する必要がなくなるため好都合である。
【００１４】
また、本発明において、前記エラー検出手段により検出されたエラーの具体的な内容は、前記ＢＧＭプレーヤまたは前記データ送信装置のいずれかに表示可能であることが好ましい。
これによれば、予め、故障内容の確認をすることができるので、適切な人員の振り分けが可能になり、さらに短期間での復旧が期待できる。
【００１５】
また、他の発明として、ネットワークに接続され、複数のコンテンツを実行期限としての有効期限が予め設定された再生プログラムに基づいて再生するＢＧＭプレーヤと、前記ネットワークに、前記ＢＧＭプレーヤと通信可能となるように接続され、前記ＢＧＭプレーヤにおいて再生させるコンテンツを予め蓄積してあるコンテンツ格納サーバと、前記ネットワークに、前記ＢＧＭプレーヤと通信可能となるように接続され、前記ＢＧＭプレーヤに対して、前記再生プログラムと該再生プログラムに基づいて再生すべきコンテンツの識別子が記述された電子メールを送信する電子メール送信手段を有するデータ送信装置とを具備し、前記データ送信装置からの電子メールを受信した前記ＢＧＭプレーヤが、該電子メールに記述されているコンテンツの識別子に基づいて必要なコンテンツを前記コンテンツ格納サーバからダウンロードし、前記電子メールに記述されていた再生プログラムを実行することで、前記ダウンロードしたコンテンツを再生するＢＧＭ再生システムおよびこれに用いられるＢＧＭプレーヤであって、前記エラー検出手段は、前記記憶手段に記憶されている前記再生プログラムに設定されている有効期限を確認し、前記再生プログラムの有効期限が経過していない場合には、前記再生プログラムに基づいたＢＧＭの再生を行い、前記再生プログラムの有効期限が経過している場合には、前記エラー通知手段が、前記データ送信装置に、前記再生プログラムの有効期限が経過していることを通知する電子メールを送信すると共に、前記記憶手段に記憶されている緊急用再生プログラムを実行することを特徴とするＢＧＭ再生システムおよびこれに用いるＢＧＭプレーヤである。
【００１６】
また、ネットワークに接続され、複数のコンテンツを実行期限としての有効期限が予め設定された再生プログラムに基づいて再生するＢＧＭプレーヤと、前記ネットワークに、前記ＢＧＭプレーヤと通信可能となるように接続され、前記ＢＧＭプレーヤにおいて再生させるコンテンツを予め蓄積してあるコンテンツ格納サーバと、前記ネットワークに、前記ＢＧＭプレーヤと通信可能となるように接続され、前記ＢＧＭプレーヤに対して、前記再生プログラムと該再生プログラムに基づいて再生すべきコンテンツの識別子が記述された電子メールを送信する電子メール送信手段を有するデータ送信装置とを具備し、前記データ送信装置からの電子メールを受信した前記ＢＧＭプレーヤが、該電子メールに記述されているコンテンツの識別子に基づいて必要なコンテンツを前記コンテンツ格納サーバからダウンロードし、前記電子メールに記述されていた再生プログラムを実行することで、前記ダウンロードしたコンテンツを再生するＢＧＭ再生システムおよびこれに用いられるＢＧＭプレーヤであって、前記エラー検出手段は、前記記憶手段に記憶されている前記再生プログラムに設定されている有効期限を確認し、前記再生プログラムの有効期限が経過していない場合には、前記再生プログラムに基づいてＢＧＭの再生を行い、前記再生プログラムの有効期限が予め設定された閾値内に入っている場合には、前記エラー通知手段が、前記データ送信装置に、前記再生プログラムの有効期限が近づいていることを通知する電子メールを送信した後、当該再生プログラムに基づいてＢＧＭの再生を行うことを特徴とするＢＧＭ再生システムおよびこれに用いるＢＧＭプレーヤである。
【００１７】
これらによれば、有効期限が切れた再生プログラムを直ちに把握することができるので、データ送信側において有効な再生プログラムの有無を確認するきっかけができるため、再生プログラムの配信忘れなどのおそれを軽減することができる。
【００１８】
また、ネットワークに接続され、複数のコンテンツを実行期限としての有効期限が予め設定された再生プログラムに基づいて再生するＢＧＭプレーヤと、前記ネットワークに、前記ＢＧＭプレーヤと通信可能となるように接続され、前記ＢＧＭプレーヤにおいて再生させるコンテンツを予め蓄積すると共に、前記ＢＧＭプレーヤに対して、前記再生プログラムと該再生プログラムに基づいて再生すべきコンテンツの識別子が記述された電子メールを送信する電子メール送信手段を有するデータ送信装置とを具備し、前記データ送信装置からの電子メールを受信した前記ＢＧＭプレーヤが、該電子メールに添付されている前記再生プログラムと前記コンテンツとをセットアップした後、前記ＢＧＭプレーヤが前記再生プログラムを実行することで、前記コンテンツを再生するＢＧＭ再生システムおよびこれに用いられるＢＧＭプレーヤにおいて、前記エラー検出手段は、前記記憶手段に記憶されている前記再生プログラムに設定されている有効期限を確認し、前記再生プログラムの有効期限が経過していない場合には、通常の再生を行い、前記再生プログラムの有効期限が経過している場合には、前記エラー通知手段が、前記データ送信装置に、前記再生プログラムの有効期限が経過していることを通知する電子メールを送信すると共に、前記記憶手段に記憶されている緊急用再生プログラムを実行することを特徴とするＢＧＭ再生システムおよびこれに用いられるＢＧＭプレーヤである。
【００１９】
また、ネットワークに接続され、複数のコンテンツを実行期限としての有効期限が予め設定された再生プログラムに基づいて再生するＢＧＭプレーヤと、前記ネットワークに、前記ＢＧＭプレーヤと通信可能となるように接続され、前記ＢＧＭプレーヤにおいて再生させるコンテンツを予め蓄積すると共に、前記ＢＧＭプレーヤに対して、前記再生プログラムと該再生プログラムに基づいて再生すべきコンテンツの識別子が記述された電子メールを送信する電子メール送信手段を有するデータ送信装置とを具備し、前記データ送信装置からの電子メールを受信した前記ＢＧＭプレーヤが、該電子メールに添付されている前記再生プログラムと前記コンテンツとをセットアップした後、前記ＢＧＭプレーヤが前記再生プログラムを実行することで、前記コンテンツを再生するＢＧＭ再生システムおよびこれに用いられるＢＧＭプレーヤであって、前記エラー検出手段は、前記記憶手段に記憶されている前記再生プログラムに設定されている有効期限を確認し、前記再生プログラムの有効期限が経過していない場合には、前記再生プログラムに基づいてＢＧＭの再生を行い、前記再生プログラムの有効期限が予め設定された閾値内に入っている場合には、前記エラー通知手段が、前記データ送信装置に、前記再生プログラムの有効期限が近づいていることを通知する電子メールを送信した後、当該再生プログラムに基づいてＢＧＭの再生を行うことを特徴とするＢＧＭ再生システムおよびこれに用いるＢＧＭプレーヤである。
【００２０】
これらによれば、再生プログラムの有効期限が切れる前にデータ送信側に連絡されるので、余裕を持った連絡とすることができるため、連絡時においては、必ず有効期限内の再生プログラムを有しているため、ＢＧＭ再生システムやＢＧＭプレーヤが動作不能になるおそれが大幅に減少する。
【００２１】
【発明の実施の形態】
以下、本発明に係るＢＧＭ再生システム、ＢＧＭプレーヤおよびＢＧＭ再生方法の好適な実施の形態を添付図面に基づいて詳細に説明する。
なお本発明は、本実施の形態に限定されるものではなく、発明の要旨を変更しない範囲において、各種の改変がなされても本発明の技術的範囲に属するのは言うまでもない。
【００２２】
（第１の実施の形態）
まず、本実施の形態におけるＢＧＭ再生システム１０の概要について図１を用いて説明する。図１は、電子メールの送受信が可能なネットワークの一般的な構成を示す説明図である。
本実施の形態におけるＢＧＭ再生システム１０は、ＢＧＭを再生する店舗内に設けられた単数または複数のＢＧＭプレーヤ１６と、ＢＧＭプレーヤ１６の動作設定をする再生プログラム等を送信するデータ送信装置１４と、ＢＧＭプレーヤ１６に配信するコンテンツが記憶手段（図示せず）に蓄積されたコンテンツ格納サーバ（ｆｔｐサーバやｈｔｔｐサーバ）２８と、電子メール２４を中継するメールサーバ２９とを具備している。
各ＢＧＭプレーヤ１６とデータ送信装置１４との間は、インターネット１２等のネットワークを使用して電子メール２４を互いにやり取り可能に接続されている。また、各ＢＧＭプレーヤ１６とコンテンツ格納サーバ２８との間は、インターネット１２を通じてデータのやり取りが可能に接続されている。
【００２３】
本実施形態のＢＧＭ再生システム１０は、このような既存のネット環境下で、データ送信装置１４から単数または複数のＢＧＭプレーヤ１６に電子メール２４を利用して、再生プログラムと、コンテンツと、コンテンツの識別子とを配信するものである。
なお、データ送信装置１４は、例えばＣＰＵ等から構成される制御部、キーボードやモニタ等により構成される入出力部、固定ディスク等により構成される記憶部、メール送信手段といった基本構成（図示せず）を有する一般的なコンピュータで構成されている。メール送信手段の具体例としては、電子メールの作成や送受信、受信したメールの保存・管理を行うソフトウェアが挙げられ、電子メール専用のソフトウェアでもよいし、ｗｅｂブラウザに付随している電子メール送受信機能を用いてもよい。
【００２４】
ここで本明細書中の用語の説明をする。
コンテンツとは、ＢＧＭプレーヤ１６が再生するデータの内容のことであって、音楽等の音声データ、静止画および動画等の画像データ、ニュースおよび掲示板等の文字データ等を含む。
電子メールに記述されているとは、電子メール２４に直接記載されていること、および電子メール２４に添付されていることの両方の意味を含むものである。再生プログラムとは、所定のコンテンツを所定の時間に再生することをＢＧＭプレーヤ１６に命ずる制御プログラムのことであり、ＢＧＭプレーヤ１６が設置された店舗の休日、営業日あるいは営業日であっても特売日であるかそうではないか等の違いに合わせて、予めその日ごとにスケジュールがそれぞれ設定されている。
また、コンテンツの識別子とは、コンテンツが蓄積されたコンテンツ格納サーバ２８の名称と、ＢＧＭプレーヤ１６に配信されるべきコンテンツまでの格納パス、さらには、ＢＧＭプレーヤに配信されたコンテンツを記憶させる記憶手段のフォルダまでのパス等のことをいう。
【００２５】
図２は、本実施の形態におけるＢＧＭプレーヤの内部構成を示す説明図である。
ＢＧＭプレーヤ１６は、プレーヤ全体の動作を制御するために予め設定されたファームウェア等によって動作するＣＰＵ等により構成される制御部３０、インターネット１２等の通信回線に接続するためのモデム等により構成される入出力手段３２、カレンダー等のスケジュールに従ってコンテンツの再生順序等が定められており、この定められた内容で、コンテンツを再生するように制御部３０を制御する再生プログラムや、複数のコンテンツがデジタルデータとして記憶される固定ディスク等により構成される記憶手段３４、および記憶手段３４から取り出したデジタルデータとしてのコンテンツをＤ／Ａ変換するＤ／Ａ変換回路や増幅回路等（共に図示せず）からなる再生手段３６を具備している。
また、再生手段３６には、コンテンツを音声として再生するスピーカ３８や映像として再生するモニタ装置４０が接続されている。これらスピーカ３８やモニタ装置４０はＢＧＭプレーヤ１６と一体に設けられていてもよいし、別体に設けられていてもよい。
【００２６】
さらに、ＢＧＭプレーヤ１６には、再生手段の故障や、コンテンツ記憶手段に格納されているコンテンツの異常等といったＢＧＭプレーヤ自体のエラーを検出するエラー検出手段４２と、エラー検出手段４２によりＢＧＭプレーヤ１６のエラーが検出された場合に、ＢＧＭプレーヤ１６にエラーが検出された旨を通知するエラー通知手段４４がそれぞれ設けられている。
通常、エラー検出手段４２と、エラー通知手段４４は、ＣＰＵ等によって構成される制御部３０に統括されていることが多い。本実施の形態においては、それぞれの手段名を用いて説明しているが、制御部３０がこれらを実行するることも可能である。
【００２７】
本実施の形態におけるエラー通知手段４４は、ＢＧＭプレーヤ１６の本体部に設けられているＬＥＤ等で構成される表示手段と、通信回線で互いに通信可能に接続した第１のエラー通知手段４４ａと、データ送信装置１４に電子メールを送信するメール送信手段による第２のエラー通知手段４４ｂとの２種類の通知経路により、ＢＧＭプレーヤ１６のエラー内容を通知している。
【００２８】
図３は、ＢＧＭプレーヤのエラー通知内容を表示する表示部の形態を示す説明図である。
第１のエラー通知手段４４ａは、エラー検出手段４２がＢＧＭプレーヤ１６のエラーを検出した際において、ＢＧＭプレーヤ１６がネットワークに接続不可能である場合に、ＢＧＭプレーヤ１６の設置先のユーザにＢＧＭプレーヤ１６にエラーが生じたことを通知するための手段である。しかしながら、ＢＧＭプレーヤ１６にモニタ等の表示装置が備えられていない場合はＢＧＭプレーヤ１６のエラー内容の表示ができないため、図３（ａ）に示すように、ＬＥＤ等からなる表示装置１６ａのＬＥＤを点灯させてＢＧＭプレーヤ１６のエラーを通知する。また、ユーザにエラーの具体的な内容を知らせるために、複数個のＬＥＤを配設し、これらのＬＥＤを適宜点灯させることによって具体的なＢＧＭプレーヤ１６のエラー内容を表示させることも可能である。
ユーザにエラーの具体的な内容を知らせるための他の方法としては、図３（ｂ）に示すように、表示装置１６ａのＬＥＤを一つだけ配設し、ＬＥＤの点滅回数がエラーコードとなるように予め設定しておく方法としてもよい。
【００２９】
なお、ＢＧＭプレーヤ１６の配設先においては、ＢＧＭプレーヤ１６が設置されていることに関する認識が低いため、表示装置１６ａのＬＥＤを点灯させるのみでは、ＢＧＭプレーヤ１６におけるエラーの所在の通知効果が十分でない場合が多い。そこで、ＢＧＭプレーヤ１６に、ＢＧＭを再生するスピーカ３８とは別体に、エラー通知用のスピーカ（図示せず）を配設し、エラー通知手段４４に連携して作動するように予め設定しておけば、注意を喚起する効果が増大するため好適である。
【００３０】
一方、第２のエラー通知手段４４ｂは、データ送信装置１４へＢＧＭプレーヤ１６のエラーな詳細な内容を記載した電子メール２４を送信するため、データ送信装置１４のオペレータは、モニタ等の出力（表示）装置でＢＧＭプレーヤ１６の具体的なエラー内容を把握することができる手段である。
【００３１】
このように、ＢＧＭプレーヤ１６にエラー検出手段４２およびエラー通知手段４４を設けたことにより、ＢＧＭプレーヤ１６のエラーを検出すると共に、検出されたエラーがＢＧＭプレーヤ１６をネットワークに接続させることができない場合およびネットワークに接続可能である場合によって、エラー内容の通知方法を分別しているので、ＢＧＭプレーヤ１６のエラーをいち早く認識することが可能になる。
これにより、ＢＧＭプレーヤの復旧作業も迅速に行うことができるため、ＢＧＭ再生システム１０をストップさせること無く、安定的なＢＧＭ再生システムの運用が可能になる。
【００３２】
（第２の実施の形態）
第１の実施の形態においては、ＢＧＭプレーヤ１６に関するすべてのエラーを検出し、エラーによりＢＧＭプレーヤ１６がネットワークに接続可能であるか否かによって、エラーの通知方法を場合分けしたＢＧＭ再生システム１０について説明した。
本実施の形態においては、ＢＧＭプレーヤ１６の記憶手段３４に格納されている再生プログラムに有効期限を設定し、エラー検出手段４２が再生プログラムの有効期限をチェックすることにより、再生プログラムの有効期限が管理可能なＢＧＭ再生システム１０およびＢＧＭプレーヤ１６について詳細に説明する。
【００３３】
本実施の形態におけるＢＧＭ再生システム１０およびＢＧＭプレーヤ１６の構成は、第１の実施の形態と同様である。したがって、本実施の形態においては、第１の実施の形態と同番号を付すことにより、それらの詳細な説明を省略している。
【００３４】
再生プログラムは、データ送信装置１４からＢＧＭプレーヤ１６に識別子が記載された電子メール２４が送信され、ＢＧＭプレーヤ１６が電子メール２４の識別子に基づいてコンテンツ格納サーバ２８にアクセスしてダウンロードされることによりＢＧＭプレーヤ１６の記憶手段３４に格納されている。
再生プログラムは、ＢＧＭプレーヤ１６が配設されている店舗の予定に合わせて、適宜コンテンツが設定されており、一度のみの使用のこともあるが、例えば、７つの再生プログラムを日替わりである一定期間にわたって使用することも可能である。このように、一定期間内で反復して再生プログラムを使用する場合、データ送信装置１４がＢＧＭプレーヤ１６に提供する再生プログラムに有効期限を設定しておけば、古くなった再生プログラムがいつまでも使用されることがなくなり、常に新しいＢＧＭを提供することができるので好適である。
【００３５】
再生プログラムは、データ送信装置側によって、予め有効期限および、有効期限が接近していることを通知する連絡日（閾値）が設定されている。ＢＧＭプレーヤ１６のエラー検出手段４２は、ＢＧＭ再生システム１０が始動した際に、記憶手段３４に格納されている再生プログラムの有効期限を確認する。
再生プログラムの有効期限が接近していることを通知する連絡日（閾値）に到達していない場合には、ＢＧＭプレーヤ１６が通常どおりに再生プログラムに基づいてＢＧＭを再生するように制御部３０が再生手段３６に命令を出す。
また、再生プログラムの有効期限が通知連絡日に到達している場合には、エラー通知手段４４がデータ送信装置１４に再生プログラムの有効期限が近づいている旨を記載した電子メール２４を送信し、その後、ＢＧＭプレーヤ１６が再生プログラムに基づいたＢＧＭを再生するように制御部３０が再生手段３６に命令を出す。
さらに、再生プログラムが有効期限を経過していることを確認した場合には、ＢＧＭプレーヤ１６の記憶手段３４に格納してある緊急用の再生プログラム（図示せず）に基づいてＢＧＭを再生するように制御部３０が再生手段３６に命令を出す。
【００３６】
本実施の形態によれば、ＢＧＭプレーヤ１６の記憶手段３４に格納されている再生プログラムが何らかの理由で更新されなかったり、ＢＧＭプレーヤ１６の配設先の予定が急に変更になった場合において、古いままの再生プログラムを誤って使用してしまうことがないため、常に最新式であると共に、配設先の予定に適合した再生プログラムに基づいたＢＧＭを再生することができる。
【００３７】
以上、実施の形態に基いて本発明に係るＢＧＭ再生システム１０およびＢＧＭプレーヤについて詳細に説明してきたが、本発明はこれに限定されるものではない。したがって、本発明の要旨を変更しない範囲において各種の改変がなされたとしても本発明の技術範囲に属することは言うまでもない。
例えば、コンテンツの配信方法は、ＢＧＭプレーヤ１６がデータ送信装置１４から受信した電子メール２４に記載された識別子に基づいて、コンテンツ格納サーバ２８にアクセスしてダウンロードする形態について説明ているが、データ送信装置１４から送信される電子メール２４にコンテンツを添付してＢＧＭプレーヤ１６に直接コンテンツを配信する形態としてもよいのはもちろんである。
【００３８】
【発明の効果】
以上のことから、本発明におけるＢＧＭ再生システムおよびＢＧＭプレーヤには以下のような効果がある。
すなわち、本発明においては、ＢＧＭプレーヤ１６にエラー検出手段４２およびエラー通知手段４４を設けたことにより、ＢＧＭプレーヤ１６のエラーを検出すると共に、検出されたエラーがＢＧＭプレーヤ１６をネットワークに接続させることができない場合およびネットワークに接続可能である場合によって、エラー内容の通知方法を分別しているので、ＢＧＭプレーヤ１６のエラーをいち早く認識することが可能になる。
また、ＢＧＭプレーヤの復旧作業も迅速に行うことができるため、ＢＧＭ再生システム１０をストップさせること無く、安定的なＢＧＭ再生システムの運用が可能になる。
【００３９】
さらに、ＢＧＭプレーヤ１６にエラー検出手段４２およびエラー通知手段４４を設け、さらに再生プログラムに有効期限を設定したことにより、ＢＧＭプレーヤ１６の記憶手段３４に格納されている再生プログラムが季節外れのものであったり、ＢＧＭプレーヤ１６の配設先の予定が変更した場合において、予定変更前の古い再生プログラムを誤って使用してしまうことがないため、常に最新式であると共に、配設先の予定に適合した再生プログラムに基づいたＢＧＭを提供することができる等といった著効を奏する。
【図面の簡単な説明】
【図１】本発明に係るＢＧＭ再生システムの全体構成を示す説明図である。
【図２】第１の実施の形態におけるＢＧＭプレーヤの内部構成を示す説明図である。
【図３】ＢＧＭプレーヤのエラー通知内容を表示する表示部の形態を示す説明図である。
【符号の説明】
１０  ＢＧＭ再生システム
１４  データ送信装置
１６  ＢＧＭプレーヤ
２８  コンテンツ格納サーバ
３０  制御部
３２  入出力手段
３４  記憶手段
４０  モニタ装置
４２  エラー検出手段
４４  エラー通知手段
【図１】
2004170635.tif 000003
【図２】
2004170635.tif 000004
【図３】
2004170635.tif 000005